(57)【要約】【課題】放送受信装置において、所定の条件を満たす番組が放送中であることを検出した場合に、表示中の番組の状態に応じた表示形態でその旨を表示する。【解決手段】番組の映像を表示する表示手段と、放送波を受信する受信手段と、を備える放送受信装置であって、前記受信手段が受信中の放送波に含まれる番組から、条件を満たす番組を検出する検出手段と、前記条件を満たす番組が検出されたことを示す検出情報を、前記表示手段がその映像を表示中の番組の状態に応じて、第１表示形態又は前記第１表示形態よりも視認性の高い第２表示形態で前記表示手段に表示させる制御手段と、を備えることを特徴とする放送受信装置を提供する。【選択図】図２
2009272779.tif 000002
【特許請求の範囲】
【請求項１】
番組の映像を表示する表示手段と、放送波を受信する受信手段と、を備える放送受信装置であって、
前記受信手段が受信中の放送波に含まれる番組から、条件を満たす番組を検出する検出手段と、
前記条件を満たす番組が検出されたことを示す検出情報を、前記表示手段がその映像を表示中の番組の状態に応じて、第１表示形態又は前記第１表示形態よりも視認性の高い第２表示形態で前記表示手段に表示させる制御手段と、
を備えることを特徴とする放送受信装置。
【請求項２】
前記制御手段は、前記表示手段がその映像を表示中の番組がコマーシャル中の状態でない場合、前記検出情報を前記第１表示形態で前記表示手段に表示させることを特徴とする請求項１に記載の放送受信装置。
【請求項３】
前記制御手段は、前記表示手段で表示中の番組の映像が記録媒体に録画された番組を再生した映像である場合、前記表示手段がその映像を表示中の番組の状態に関わらず前記検出情報を前記第１表示形態で前記表示手段に表示させることを特徴とする請求項１又は２に記載の放送受信装置。
【請求項４】
前記制御手段は、前記条件を満たす番組がコマーシャル中の状態である場合、前記表示手段がその映像を表示中の番組の状態に関わらず前記検出情報を前記第１表示形態で前記表示手段に表示させることを特徴とする請求項１乃至３のいずれか１項に記載の放送受信装置。
【請求項５】
前記検出手段は、視聴者の好みを表すデータに基づいて、放送中の番組について視聴者の好みとの合致度を算出し、前記条件を満たす番組として、前記合致度が第１閾値以上の番組を検出することを特徴とする請求項１乃至４のいずれか１項に記載の放送受信装置。
【請求項６】
前記制御手段は、前記条件を満たす番組の前記合致度が前記第１閾値より高い第２閾値未満の場合、前記表示手段がその映像を表示中の番組の状態に関わらず前記検出情報を前記第１表示形態で前記表示手段に表示させることを特徴とする請求項５に記載の放送受信装置。
【請求項７】
少なくとも、前記第１表示形態と比べて前記第２表示形態では表示される前記検出情報の輝度が高いか、又は、前記第１表示形態と比べて前記第２表示形態では表示される前記検出情報がより詳細な情報を含むこと特徴とする請求項１乃至６のいずれか１項に記載の放送受信装置。
【請求項８】
前記表示手段は、番組の映像を第１表示領域に表示し、前記検出情報を第２表示領域に表示することを特徴とする請求項１乃至７のいずれか１項に記載の放送受信装置。
【請求項９】
前記制御手段は、前記検出情報の表示形態を前記第１表示形態から前記第２表示形態に変更する場合、前記検出情報を一時的に前記第１表示領域に表示するように前記表示手段を制御することを特徴とする請求項８に記載の放送受信装置。
【請求項１０】
番組の映像を表示する表示手段と、放送波を受信する受信手段と、を備える放送受信装置の制御方法であって、
前記受信手段が受信中の放送波に含まれる番組から、条件を満たす番組を検出する検出工程と、
前記条件を満たす番組が検出されたことを示す検出情報を、前記表示手段がその映像を表示中の番組の状態に応じて、第１表示形態又は前記第１表示形態よりも視認性の高い第２表示形態で前記表示手段に表示させる制御工程と、
を備えることを特徴とする制御方法。
【発明の詳細な説明】
【技術分野】
【０００１】
本発明は、放送受信装置及びその制御方法に関する。
【背景技術】
【０００２】
デジタル放送では、番組を構成する映像信号や音声信号に加えて、番組属性情報（放送チャンネルや番組タイトル）が送出されている。この番組属性情報を利用した機能として、電子番組表（ＥＰＧ：Electric Program Guide）生成機能、番組検索機能、番組推薦機能などがある。
【０００３】
番組推薦機能は、ユーザ（視聴者）の嗜好に合致しそうな番組をユーザに薦める機能である。番組推薦機能には、フィルタ型、学習型、及び両者の融合型などがある。フィルタ型の場合、デジタルテレビ（ＤＴＶ）などの放送受信装置は、例えば、ユーザの好きな番組ジャンル、好きなタレント名などの登録を受け付け、ユーザの嗜好情報を生成する。そして、ユーザの嗜好情報に合致した番組を推薦する。学習型の場合、放送受信装置は、ユーザが過去に視聴や録画を行った番組の番組情報や操作履歴情報に基づいてユーザの嗜好情報を生成し、この嗜好情報に基づいて番組を推薦する。
【０００４】
近年の多チャンネル化に伴い、見たい番組をユーザが能動的にみつけることが困難になってきているので、このような番組推薦機能は、ユーザの番組視聴を支援する機能として有効である。
【０００５】
放映中の番組を通知する方法として、特許文献１には、裏番組で重要シーンが放映中であることを通知する方法が記載されている。
【０００６】
また、複数の通知パターンを用いる方法として、特許文献２には、通知内容と視聴番組の特性とから通知パターン（表示状態）を決定する方法が記載されている。
【特許文献１】特開２００５−２５０７３８号公報
【特許文献２】特開２００２−３０５６９５号公報
【発明の開示】
【発明が解決しようとする課題】
【０００７】
しかしながら、特許文献１記載のデジタル放送記録再生装置では、裏番組で重要シーンが検出された際にユーザが視聴中の番組の状態については考慮されていない。そのため、ユーザが番組を集中して視聴している場合は特に、通知が邪魔になる場合があった。
【０００８】
また、特許文献２記載の表示制御装置は、新たな情報の表示要求があった場合に、表示中の放送番組と新たな表示情報との優先度に基づいて１つの表示状態を選択する。しかし、選択された表示状態が放送番組の終了まで変化しない。そのため、表示状態によってはユーザの番組視聴を邪魔したり、ユーザが通知に気付かなかったりすることがあった。
【０００９】
本発明はこのような状況に鑑みてなされたものであり、放送受信装置において、所定の条件を満たす番組が放送中であることを検出した場合に、表示中の番組の状態に応じた表示形態でその旨を表示する技術を提供することを目的とする。
【課題を解決するための手段】
【００１０】
上記課題を解決するために、第１の本発明は、番組の映像を表示する表示手段と、放送波を受信する受信手段と、を備える放送受信装置であって、前記受信手段が受信中の放送波に含まれる番組から、条件を満たす番組を検出する検出手段と、前記条件を満たす番組が検出されたことを示す検出情報を、前記表示手段がその映像を表示中の番組の状態に応じて、第１表示形態又は前記第１表示形態よりも視認性の高い第２表示形態で前記表示手段に表示させる制御手段と、を備えることを特徴とする放送受信装置を提供する。
【００１１】
また、第２の本発明は、番組の映像を表示する表示手段と、放送波を受信する受信手段と、を備える放送受信装置の制御方法であって、前記受信手段が受信中の放送波に含まれる番組から、条件を満たす番組を検出する検出工程と、前記条件を満たす番組が検出されたことを示す検出情報を、前記表示手段がその映像を表示中の番組の状態に応じて、第１表示形態又は前記第１表示形態よりも視認性の高い第２表示形態で前記表示手段に表示させる制御工程と、を備えることを特徴とする制御方法を提供する。
【００１２】
なお、その他の本発明の特徴は、添付図面及び以下の発明を実施するための最良の形態における記載によって更に明らかになるものである。
【発明の効果】
【００１３】
以上の構成により、本発明によれば、放送受信装置において、所定の条件を満たす番組が放送中であることを検出した場合に、表示中の番組の状態に応じた表示形態でその旨を表示することが可能となる。
【発明を実施するための最良の形態】
【００１４】
以下、添付図面を参照して、本発明の実施例を説明する。以下で説明される個別の実施例は、本発明の上位概念から下位概念までの種々の概念を理解するために役立つであろう。
【００１５】
なお、本発明の技術的範囲は、特許請求の範囲によって確定されるのであって、以下の個別の実施例によって限定されるわけではない。また、実施例の中で説明されている特徴の組み合わせすべてが、本発明に必須とは限らない。
【実施例１】
【００１６】
本発明の放送受信装置をデジタルテレビ（ＤＴＶ）に適用した実施例について説明する。図１は、本発明の実施例１に係る放送受信装置１０の構成を示すブロック図である。
【００１７】
放送受信部１００（受信手段）は、多重化された番組データを放送波より受信して映像信号、音声信号、及び付加データに分離する。そして、映像信号や音声信号は復号してディスプレイ２０（表示手段）やスピーカ（不図示）に出力し、付加データは番組属性情報に変換する。
【００１８】
番組データは、番組を構成する映像信号や音声信号などをＭＰＥＧ２（Moving Picture Experts Group 2：カラー動画像符号化方式標準化グループの第２規格）トランスポート・ストリーム（Transport Stream：ＴＳ）方式により多重化されている。放送受信部１００にて分離された映像信号及び音声信号は、ＭＰＥＧ２方式により圧縮符号化されているため、放送受信部１００にて、それぞれ復号される。付加データに含まれる番組属性情報は、番組の放送チャンネルや番組タイトルに関する情報を含み、電子番組表の生成や番組推薦のために用いられる。
【００１９】
ユーザインタフェース部２００は、ユーザ（視聴者）からの指示を受け取り、指示に従った動作がなされるよう放送受信部１００及び選局制御部３００を制御する。ここで、ユーザからの指示は、「選局」や「入力切換」であり、通常リモコンを介して入力される。ユーザインタフェース部２００は、「はい」「いいえ」等の選択肢を含んだ操作画面を生成してユーザに選択を促す場合もある。
【００２０】
選局制御部３００は、ユーザインタフェース部２００より受け取った選局要求に従った選局がなされるよう放送受信部１００へ指示する。選局要求は、リモコンの特定ボタンの押下や、電子番組表での選局操作等によって発生する。また、選局制御部３００は、表示モード決定部６００からの要求に応じて選局中のチャンネル情報を表示モード決定部６００へ通知する。
【００２１】
番組情報保持部４００は、放映中の番組や放映予定番組の番組属性情報を保持する。これらの番組属性情報は、放送受信部１００により定期的に更新される。
【００２２】
おすすめ番組情報保持部５００は、おすすめ番組情報を保持する。ここで、おすすめ番組とは、所定の条件を満たす番組を意味する。具体的には、番組推薦部５５０（検出手段）が番組情報保持部４００の保持している番組属性情報とユーザ嗜好情報とに基づいて検出した番組（即ち、ユーザの嗜好に合致しそうな番組）を意味する。
【００２３】
番組推薦部５５０は、例えば、放送中の番組についてユーザの好みとの合致度を算出し、合致度が閾値（第１閾値）以上の番組をおすすめ番組として検出する。合致度の算出については、任意の知られているアルゴリズムを利用することができる。
【００２４】
表示モード決定部６００（制御手段）は、おすすめ番組の有無と視聴番組の状態とに応じて、表示モード（表示形態）を決定し、おすすめ番組が検出されたことを示す情報（検出情報）を、決定した表示モードにてディスプレイ２０に表示する。表示モード決定部６００の詳細は後述する。
【００２５】
時間管理部７００は、放送受信部１００より時間情報を取得する。また、時間管理部７００は、表示モード決定部６００の要求に応じて時間情報を表示モード決定部６００へ通知する。
【００２６】
状態判定部８００は、視聴番組の状態が集中視聴向きか否かを判定する。ここで、集中視聴向きな状態として、例えばコマーシャル中（ＣＭ中）でない状態がある。ＣＭ中であるか否かの判定には、任意の知られている技術を利用可能である。例えば、大半のＣＭがステレオ放送であることに着目し、音声モード（ステレオ放送、モノラル放送、二ヶ国語放送）を用いた判定方法や、送出されるＣＭ属性情報を用いた判定方法などがある。
【００２７】
図２を参照して、表示モード決定部６００による表示モードの決定処理を説明する。表示モード決定部６００は、選局制御部３００から選局発生通知を受け取った場合、又は、時間管理部７００から一定期間経過通知を受け取った場合に、本フローチャートの処理を開始する。ここで、一定期間経過通知とは、例えば、前回の通知から１秒が経過したことの通知を指す。従って、おすすめ番組が検出された旨が表示された後も、視聴中の番組の状態に応じて、表示モードは定期的に変化し得る。
【００２８】
Ｓ６０１で、表示モード決定部６００は、おすすめ番組情報保持部５００よりおすすめ番組情報を取得する。
【００２９】
Ｓ６０２で、表示モード決定部６００は、取得したおすすめ番組情報に放映中のおすすめ番組が含まれているか否か（即ち、放送受信部１００が受信中の放送波からおすすめ番組が検出されているか否か）を判定する。含まれている場合に、Ｓ６０３に進む。含まれていない場合、Ｓ６０９に進み、検出情報の表示をせずに処理を終える。
【００３０】
Ｓ６０３で、表示モード決定部６００は、視聴中の番組情報（即ち、ディスプレイ２０が表示中の番組の情報）を確認する。視聴中の番組の特定は、選局制御部３００からの選局通知に基づき番組情報保持部４００へ照会することにより行われ、その結果は表示モード決定部６００に通知される。
【００３１】
Ｓ６０４で、表示モード決定部６００は、検出されたおすすめ番組を視聴中か否か（即ち、ディスプレイがそのおすすめ番組を表示中か否か）を判定する。視聴中でない場合はＳ６０５に進む。視聴中の場合、Ｓ６０９に進み、検出情報の表示をせずに処理を終える。
【００３２】
Ｓ６０５で、状態判定部８００は、視聴番組の状態を確認し、表示モード決定部６００に通知する。視聴番組の状態判定に音声モードを利用したＣＭ判定を用いる場合は、視聴番組の音声モードがステレオ放送であれば集中視聴向きでないと判定し、視聴番組の音声モードがステレオ放送でなければ集中視聴向きと判定する。
【００３３】
Ｓ６０６で、表示モード決定部６００は、視聴番組の状態が集中視聴向きか否かを判定する。視聴番組の状態が集中視聴向きでなければＳ６０７に進み、視聴番組の状態が集中視聴向きであればＳ６０８に進む。
【００３４】
Ｓ６０７で、表示モード決定部６００は、表示モードを「強調モード」（第２表示形態）に設定する。
【００３５】
一方、Ｓ６０８では、表示モード決定部６００は、表示モードを「通常モード」（第１表示形態）に設定する。
【００３６】
ここで、「通常モード」は、ユーザの視聴番組へ対する集中を優先し、視聴を妨げることを抑制しつつおすすめ番組通知を行う表示モードである。「強調モード」は、ユーザへのおすすめ番組通知を優先し、ユーザの視聴番組へ対する集中を妨げることをある程度許容しておすすめ番組通知を行う表示モードである。そのため、ディスプレイ２０に表示されるおすすめ番組通知は、強調モードの場合、通常モードよりも視認性が高い。
【００３７】
図３に表示モード毎のおすすめ番組通知の表示例を示す。一例として、通常モードと強調モードとでは、輝度が異なる。強調モードでは、通常モードよりも輝度が高く、従って、視認性も高い。他の例では、通常モードと強調モードとでは、表示される検出情報の情報量（詳細さ）が異なる。強調モードでは、通常モードよりも詳細な情報が表示され、従って、視認性も高い。例えば、通常モードの場合はおすすめ番組のチャンネル番号だけが表示され、強調モードの場合はおすすめ番組のチャンネル番号に加えて番組名やジャンルも表示される。また、輝度の違いと情報量の違いとを組み合わせてもよい。
【００３８】
Ｓ６１０で、表示モード決定部６００は、決定した表示モードに対応した態様で、おすすめ番組が放映中であることを示す情報（検出情報）をディスプレイ２０に表示する。
【００３９】
輝度が表示モード毎に異なる場合の検出情報の表示例を図４に、情報量が表示モード毎に異なる場合の検出情報の表示例を図５にそれぞれ示す。図４及び図５の例では、検出情報が表示される領域と番組の映像が表示される領域とが分離しているが、これらは必ずしも分離している必要は無い。例えば、検出情報が番組に重畳して表示されてもよい。
【００４０】
以上説明したように、本実施例によれば、放送受信装置１０は、受信中の放送波に含まれる番組から条件を満たす番組が検出されたことを示す情報を、視聴中（映像表示中）の番組の状態に応じて、異なる表示形態で表示することができる。
【００４１】
＜変形例１＞
図６及び図７を参照して、実施例１の変形例１を説明する。変形例１では、放送受信装置が記録媒体に録画された番組（所謂、録画番組）を再生した番組を表示中である場合、表示中の番組の状態に関わらず、通常モードを使用する。
【００４２】
図６は、変形例１に係る放送受信装置１０の構成を示すブロック図である。図６において、図１と同様の構成には同一の符号を付し、説明を省略する。
【００４３】
変形例１では、放送受信装置１０は、表示モード決定部６００の代わりに表示モード決定部６０１を備える。表示モード決定部６０１が行う処理の詳細は、図７を参照して後述する。
【００４４】
また放送受信装置１０は、入力切換部９００を備える。入力切換部９００は、ユーザインタフェース部２００より受け取った入力切換要求に従い、放送受信部１００に対する入力を再生装置と放送波との間で切り換える。入力切換要求は、リモコンの特定ボタンの押下、入力切換先リスト画面上での選択・決定操作、等によって発生する。また、入力切換部９００は、表示モード決定部６０１からの要求に従い、選択中の外部入力情報（再生装置か放送波かを示す情報）を表示モード決定部６０１へ通知する。
【００４５】
図７を参照して、変形例１に係る表示モード決定部６０１による表示モードの決定処理を説明する。図７において、図２と同様の処理が行われるステップには同一の符号を付し、説明を省略する。
【００４６】
表示モード決定部６０１は、入力切換部９００から入力切換発生通知を受け取った場合、選局制御部３００から選局発生通知を受け取った場合、又は、時間管理部７００から一定期間経過通知を受け取った場合に、本フローチャートの処理を開始する。
【００４７】
変形例１では、Ｓ６０４とＳ６０５との間に、Ｓ６１１が存在する。
【００４８】
Ｓ６１１で、表示モード決定部６０１は、録画番組をディスプレイ２０に表示中であるか否かを判定する。録画番組を表示中の場合、Ｓ６０８に進み、そうでない場合、Ｓ６０５に進む。
【００４９】
このように、録画番組を表示中の場合、表示モード決定部６０１はＳ６０８で、表示モードを通常モードに設定する。録画番組を再生中は通常、ユーザはその番組を集中して視聴したいと考えられるので、変形例１によれば、このような場合に検出情報が番組視聴を妨げることを抑制する。
【００５０】
＜変形例２＞
変形例２では、おすすめ番組の状態を考慮した表示モードの決定について説明する。
【００５１】
図８は、変形例２に係る放送受信装置１０の構成を示すブロック図である。図８において、図１と同様の構成には同一の符号を付し、説明を省略する。
【００５２】
変形例２では、放送受信装置１０は、表示モード決定部６００の代わりに表示モード決定部６０２を備える。
【００５３】
図９を参照して、変形例２に係る表示モード決定部６０２による表示モードの決定処理を説明する。図９において、図２と同様の処理が行われるステップには同一の符号を付し、説明を省略する。
【００５４】
表示モード決定部６０２は、選局制御部３００から選局発生通知を受け取った場合、又は、時間管理部７００から一定期間経過通知を受け取った場合に、本フローチャートの処理を開始する。
【００５５】
変形例１では、Ｓ６０６とＳ６０７との間に、Ｓ６１２及びＳ６１３が存在する。
【００５６】
Ｓ６１２で、表示モード決定部６０２は、おすすめ番組の状態を確認する。この際、表示モード決定部６０２は選局制御部３００に指示し、おすすめ番組を放映しているチャンネルに選局し（ディスプレイ２０への表示は行わない）、おすすめ番組の状態が集中視聴向きか否かを確認する。
【００５７】
Ｓ６１３で、表示モード決定部６０２は、視聴番組の状態が集中視聴向きか否かを判定する。視聴番組の状態が集中視聴向きでなければ（例えば、ＣＭ中であれば）Ｓ６０７に進み、視聴番組の状態が集中視聴向きであればＳ６０８に進む。
【００５８】
このように、おすすめ番組が集中視聴向きでなければ通常モードが選択されるので、おすすめ番組が集中視聴向きでないにも関わらず視聴を強く妨げるような形でユーザに通知することが抑制される。
【００５９】
＜変形例３＞
変形例３では、おすすめ番組のおすすめ度（ユーザの好みとの合致度）を考慮した表示モードの決定について説明する。
【００６０】
図１０は、変形例３に係る放送受信装置１０の構成を示すブロック図である。図１０において、図１と同様の構成には同一の符号を付し、説明を省略する。
【００６１】
変形例３では、放送受信装置１０は、表示モード決定部６００の代わりに表示モード決定部６０３を備える。
【００６２】
図１１を参照して、変形例３に係る表示モード決定部６０３による表示モードの決定処理を説明する。図１１において、図２と同様の処理が行われるステップには同一の符号を付し、説明を省略する。
【００６３】
表示モード決定部６０３は、選局制御部３００から選局発生通知を受け取った場合、又は、時間管理部７００から一定期間経過通知を受け取った場合に、本フローチャートの処理を開始する。
【００６４】
変形例３では、Ｓ６０６とＳ６０７との間に、Ｓ６１４及びＳ６１５が存在する。
【００６５】
Ｓ６１４で、表示モード決定部６０３は、おすすめ番組のおすすめ度を確認する。
【００６６】
Ｓ６１５で、表示モード決定部６０３は、おすすめ度が閾値（第１閾値より高い第２閾値）以上であるか否かを判定する。おすすめ番組は、Ｓ６０４でおすすめ番組であると判定されているので、そのおすすめ度は第１閾値以上である。しかし、第２閾値以上であるとは限らない。おすすめ度が第２閾値以上であればＳ６０７に進み、第２閾値未満であればＳ６０８に進む。
【００６７】
このように、おすすめ番組であってもおすすめ度（ユーザの好みとの合致度）がそれほど高くない場合、表示モードとして通常モードが選択される。従って、ユーザにとってそれほど関心の高くない番組を通知するために視聴が妨げられるという事態の発生が抑制される。
【実施例２】
【００６８】
図１２は、本発明の実施例２に係る放送受信装置１１の構成を示すブロック図である。図１２において、図１と同様の構成には同一の符号を付し、説明を省略する。
【００６９】
放送受信装置１１は、実施例１に係る放送受信装置１０と異なり、表示手段としてメインディスプレイ２１（第１表示領域）及びサブディスプレイ２２（第２表示領域）を備える。但し、メインディスプレイ２１及びサブディスプレイ２２は、必ずしも別個のディスプレイである必要はない。例えば、実施例１に係る放送受信装置１０のディスプレイ２０が２つの表示領域に分割されており、そのうちの一方がメインディスプレイ２１として、他方がサブディスプレイ２２として扱われてもよい。本実施例では、メインディスプレイ２１が番組を表示し、サブディスプレイ２２が検出情報を表示する。
【００７０】
また、放送受信装置１１は、表示モード決定部６００の代わりに表示モード決定部６０４を備える。表示モード決定部６０４は、表示モードを通常モードから強調モードに変更する場合、検出情報を一時的にメインディスプレイ２１に表示させる。これにより、おすすめ番組が検出されていることをユーザにより強く通知することができる。
【００７１】
図１３を参照して、本発明の実施例２に係る表示モード決定部６０４による表示モードの決定処理を説明する。図１３において、図２と同様の処理が行われるステップには同一の符号を付し、説明を省略する。
【００７２】
表示モード決定部６０４は、選局制御部３００から選局発生通知を受け取った場合、又は、時間管理部７００から一定期間経過通知を受け取った場合に、本フローチャートの処理を開始する。
【００７３】
実施例２では、Ｓ６０７及びＳ６０８の次に、Ｓ６１６が存在する。
【００７４】
Ｓ６１６で、表示モード決定部６０４は、前回の表示モードからの変化が発生したか否かを判定する。変化が発生した場合はＳ６１７に進み、そうでなければＳ６１８に進む。
【００７５】
Ｓ６１７で、表示モード決定部６０４は、検出情報を一時的にメインディスプレイ２１に表示させる処理（連携表示処理）を行う。但し実際には、図１４を参照して説明するように、表示モードが強調モードから通常モードに変化した場合は、検出情報のメインディスプレイ２１への表示は行われない。
【００７６】
Ｓ６１８では、表示モード決定部６０４は、検出情報をサブディスプレイ２２に表示させる。
【００７７】
図１４は、図１３のＳ６１７における処理の詳細を示すフローチャートである。ここでは、表示モード毎に輝度が異なるものとするが（図２参照）、これに限定されない。
【００７８】
Ｓ６２１で、表示モード決定部６０４は、表示モードが通常モードから強調モードへ変化したか否かを判定する。表示モードが通常モードから強調モードへ変化した場合、Ｓ６２２に進む（この時点では、図１５（ａ）に示すように、検出情報は通常モードで表示されている）。そうでない場合、Ｓ６２９に進み、表示モード決定部６０４はＳ６１８と同様に検出情報をサブディスプレイ２２に表示させる。
【００７９】
Ｓ６２２で、表示モード決定部６０４は、輝度を所定量増やし、Ｓ６２３で、表示モード決定部６０４は、表示位置を垂直方向上側へずらすべくＹ座標を所定量減らす。
【００８０】
Ｓ６２４で、表示モード決定部６０４は、変更後の輝度及びＹ座標にて検出情報をサブディスプレイ２２に表示させる（図１５（ｂ）参照）。これにより、サブディスプレイ２２での表示内容が明るくなって且つメインディスプレイ２１側へずれて検出情報が表示されることになる（メインディスプレイ２１がサブディスプレイ２２の上側に位置する場合）。
【００８１】
Ｓ６２５で、表示モード決定部６０４は、検出情報をメインディスプレイ２１に表示させるとともに、サブディスプレイ２２での表示を非表示にする（図１５（ｃ）参照）。これにより、サブディスプレイ２２での表示内容が、サブディスプレイ２２からメインディスプレイ２１へ移動したような表示効果が得られる。所定時間（例えば、３秒）経過後、Ｓ６２６に進む。
【００８２】
Ｓ６２６で、表示モード決定部６０４は、輝度を所定量増やす。Ｓ６２７で、表示モード決定部６０４は、メインディスプレイ２１での検出情報の表示を非表示にするとともに、サブディスプレイ２２への検出情報の表示を行う（図１５（ｄ）参照）。これにより、メインディスプレイ２１での表示内容が、メインディスプレイ２１からサブディスプレイ２２へ移動したような表示効果が得られる。また、サブディスプレイ２２での表示内容が更に明るくなる。即ち、検出情報の輝度が２段階で明るくなるので、ユーザの注意を強く引くことができる。
【００８３】
Ｓ６２８で、表示モード決定部６０４は、表示位置を垂直方向下側へずらすべくＹ座標を所定量増やす。
【００８４】
Ｓ６２９で、表示モード決定部６０４は、変更後のＹ座標にて検出情報をサブディスプレイ２２に表示させる（図１５（ｅ）参照）。これにより、サブディスプレイ２２での表示内容が、メインディスプレイ２１側から離れて表示されることになる。
【００８５】
以上説明したように、本実施例によれば、放送受信装置１１は、表示モードを通常モードから強調モードに変更する場合、検出情報を一時的にサブディスプレイ２２からメインディスプレイ２１へ移動させる。
【００８６】
これにより、ユーザによる検出情報の視認性を向上させることができる。
【００８７】
［その他の実施例］
上述した各実施例の機能を実現するためには、各機能を具現化したソフトウェアのプログラムコードを記録した記録媒体をシステム或は装置に提供してもよい。そして、そのシステム或は装置のコンピュータ（又はＣＰＵやＭＰＵ）が記録媒体に格納されたプログラムコードを読み出し実行することによって、上述した各実施例の機能が実現される。この場合、記録媒体から読み出されたプログラムコード自体が上述した各実施例の機能を実現することになり、そのプログラムコードを記録した記録媒体は本発明を構成することになる。このようなプログラムコードを供給するための記録媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００８８】
また、上述した各実施例の機能を実現するための構成は、コンピュータが読み出したプログラムコードを実行することだけには限られない。そのプログラムコードの指示に基づき、コンピュータ上で稼動しているＯＳ（オペレーティングシステム）などが実際の処理の一部又は全部を行い、その処理によって上述した各実施例の機能が実現される場合も含まれている。
【００８９】
更に、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって上述した各実施例の機能が実現される場合も含むものである。
【図面の簡単な説明】
【００９０】
【図１】本発明の実施例１に係る放送受信装置の構成を示すブロック図である。
【図２】本発明の実施例１に係る表示モード決定部による表示モードの決定処理の流れを示すフローチャートである。
【図３】表示モード毎のおすすめ番組通知の表示例を示す図である。
【図４】輝度が表示モード毎に異なる場合の検出情報の表示例を示す図である。
【図５】情報量が表示モード毎に異なる場合の検出情報の表示例を示す図である。
【図６】変形例１に係る放送受信装置の構成を示すブロック図である。
【図７】変形例１に係る表示モード決定部による表示モードの決定処理の流れを示すフローチャートである。
【図８】変形例２に係る放送受信装置の構成を示すブロック図である。
【図９】変形例２に係る表示モード決定部による表示モードの決定処理の流れを示すフローチャートである。
【図１０】変形例３に係る放送受信装置の構成を示すブロック図である。
【図１１】変形例３に係る表示モード決定部による表示モードの決定処理の流れを示すフローチャートである。
【図１２】本発明の実施例２に係る放送受信装置の構成を示すブロック図である。
【図１３】本発明の実施例２に係る表示モード決定部による表示モードの決定処理の流れを示すフローチャートである。
【図１４】図１３のＳ６１７における処理の詳細を示すフローチャートである。
【図１５】本発明の実施例２において表示モードが通常モードから強調モードに変化した場合の検出情報の表示例を示す図である。
【図１】
2009272779.tif 000003
【図２】
2009272779.tif 000004
【図３】
2009272779.tif 000005
【図４】
2009272779.tif 000006
【図５】
2009272779.tif 000007
【図６】
2009272779.tif 000008
【図７】
2009272779.tif 000009
【図８】
2009272779.tif 000010
【図９】
2009272779.tif 000011
【図１０】
2009272779.tif 000012
【図１１】
2009272779.tif 000013
【図１２】
2009272779.tif 000014
【図１３】
2009272779.tif 000015
【図１４】
2009272779.tif 000016
【図１５】
2009272779.tif 000017